(57)【要約】【課題】分電盤のシールド板への貼付作業が容易なカードホルダーを提供する。【解決手段】ホルダー本体２に蝶番部３を介してカバー４を連設してなるカードホルダー単位部材１を上下複数個切断可能に連結する。これにより、分電盤のシールド板に貼付る場合は必要個数に切断及び組み合わせて行うことができるので貼付作業が容易なものである。また、カバー４の先端をホルダー本体２の先端より内寄りに形成してカード挿し込み口を形成したものとすれば、カバーを開くことなくこのカード挿し込み口からカードを挿入できるものる。【選択図】　　図１
2004045714.tif 000002
【特許請求の範囲】
【請求項１】
ホルダー本体に蝶番部を介してカバーを連設してなるカードホルダー単位部材を上下に複数個切断可能に連結したことを特徴とするカードホルダー。
【請求項２】
カバーの先端をホルダー本体の先端より内寄りに形成してカード挿し込み口を設けた請求項１に記載のカードホルダー。
【請求項３】
ホルダー本体の上下の低隆堤部に切欠部を設け、該切欠部に対応させて設けた連結片によりカードを連結したことを特徴とする請求項１又は２に記載のカードホルダー。
【発明の詳細な説明】
【０００１】
【発明の属する技術分野】
本発明は、分電盤等の盤類に使用するブレーカの負荷名称を表示したカードを取り付けるためのカードホルダーに関するものである。
【０００２】
【従来の技術】
従来のカードホルダーは、図７に示すようなホルダー本体１０１ａの全面をカバー１０１ｂで覆うカードホルダー１０１を図８に示すように分電盤１０２のブレーカが臨むシールド板１０３に貼付て、負荷名称を表示したカードをホルダー本体１０１ａにカバー１０１ｂを開閉して装着していた。
【０００３】
【発明が解決しようとする課題】
ところが、この従来のものにあっては、カードホルダーを一個毎にシールド板１０３に貼付しなければならずその貼付作業に手数を要する問題がある。また、ホルダー本体１０１ａはその全面をカバー１０１ｂで覆われているものであるためカードの取り付けは一々カバー１０１ｂを開けて行う必要があった。
【０００４】
【課題を解決するための手段】
前記の課題を解決するためになされた本発明のカードホルダーは、ホルダー本体に蝶番部を介してカバーを連設してなるカードホルダー単位部材を上下に複数個切断可能に連結したことを特徴とするものを請求項１に記載の発明とし、この発明において、カバーの先端をホルダー本体の先端より内寄りに形成してカード挿し込み口を設けたものを請求項２に記載の発明とする。さらに、これらの発明において、ホルダー本体の上下の低隆堤部に切欠部を設け、該切欠部に対応させて設けた連結片によりカードを連結したことを特徴とするものを請求項３に記載の発明とする。
【０００５】
【発明の実施の形態】
次に、本発明の好ましい実施の形態を図を参照して説明する。
図１は本発明の第１の実施形態を示す。１は上下に係止爪２１ａ付きの低隆堤部２１、２１を設けたホルダー本体２と該ホルダー本体２の基端の連結部を薄肉状に形成した蝶番部３を介してカバー４を連設してなるカードホルダー単位部材であり、該カードホルダー単位部材１は上下に薄肉の連結板部１ａを介して上下に複数個切断可能に連結したポリプロピレン等の合成樹脂材で一体成形したものである。
【０００６】
このように構成されたものは、カードホルダー単位部材１が上下に薄肉の連結板部１ａを介して切断可能に複数個連結したものであるから、分電盤のシールド板に貼付る場合は必要個数に切断及び組み合わせて行うことができ、また、必要個数が連結されているので上部に位置するカードホルダー単位部材１を位置決めすることにより他のカードホルダー単位部材１の位置も自動的に決まるので貼付作業が容易なものとなる。そして、このようにカードホルダー単位部材１を貼り付けたら各カバー４を開けて各ホルダー本体２に上下の低隆堤部２１、２１間にカードを嵌合させて取り付けて各カバー４を係止爪２１ａに係止させて閉塞すればよいものである。
【０００７】
図２及び図３は本発明の第２の実施形態を示す。この第２の実施形態では前記第１の実施形態とカバー４の構成が相違するのみであるから、これにつき説明し他の説明は図面に同一符号を付して省略する。すなわち、カバー４は図２及び図３に示すように先端をホルダー本体２の先端より内寄りに形成してカード挿し込み口５を設けたものとしている。この場合にカバー４の先端内面を外広がりの案内傾斜面４ａに形成してカード６の挿入が容易としている。
【０００８】
このよう構成されたものは、カバー４を開いて各ホルダー本体２に上下の低隆堤部２１、２１間にカードを嵌合させて取り付けできることは勿論、カバー４を開くことなく前記カード挿し込み口５からカード６を挿入できるものであり、カード装着の作業性の向上を図ることができるものである。
【０００９】
図４〜図６は本発明の第３の実施形態を示す。この第３の実施形態では前記第１の実施形態とホルダー本体２は低隆堤部２１、２１の構造が相違するのみであるから、これにつき説明し他の説明は図面に同一符号を付して省略する。すなわち、ホルダー本体２は図４に示すとおり低隆堤部２１、２１に切欠部２１ｂを設けて、図５に示す切欠部２１ｂに対応させて設けた連結片６１によりカード６を連結してなる連続式カード７を連結片６１を切欠部２１ｂに嵌合させて図６に斜め格子模様を付して表したようにカードホルダー単位部材１の各ホルダー本体２に上下の低隆堤部２１、２１間にカード６を嵌合させて取り付けて各カバー４を閉塞するものである。
【００１０】
このように構成されたものは、連結片６１によりカード６を連結してなる連続式カード７を連結片６１を切欠部２１ｂに嵌合させて一連に取り付ければよいので、カード６を一枚ごとにホルダー本体２に装着するのに比べ取付作業が容易なものである。また、カバー４を閉じた際に連結片６１は切欠部２１ｂに嵌合されているのでカバー４の閉蓋の障害とはならないものである。
【００１１】
そして、負荷名称の変更があった場合には、変更に係るカードホルダー単位部材１のカバー４を開けて連続式カード７の連結片６１とカード６の間を切断すれば変更に係るカード６のみを取り除くことができるので、カード６の差し替えが容易に行うことができるものである。この場合に連結片６１とカード６との間にミシン目６２を入れておくことにより、カッター等の切断具を使用しなくとも容易に切断できるものである。なお、この図示のものは切欠部２１ｂを低隆堤部２１、２１をの両側の２箇所に設けているが中央部に１箇所設けてもよくその幅も任意なものである。
【００１２】
【発明の効果】
以上に説明したように、本発明に係るカードホルダーは、ホルダー本体に蝶番部を介してカバーを連設してなるカードホルダー単位部材を上下に複数個切断可能に連結したものであるから、分電盤のシールド板に貼付る場合は必要個数に切断及び組み合わせて行うことができるので貼付作業が容易なものである。
また、カバーの先端をホルダー本体の先端より内寄りに形成してカード挿し込み口を形成したものとすれば、カバーを開くことなくこのカード挿し込み口からカードを挿入できるものであり、カード装着の作業性の向上を図ることができるものである。さらに、ホルダー本体の上下の低隆堤部に切欠部を設け、該切欠部に対応させて設けた連結片によりカードを連結したので、カードを一枚ごとにホルダー本体に装着する必要がないので、カードの取付作業が容易になる。
よって、本発明は従来のカードホルダーの問題点を解消したものであり、業界にもたらす益大なものである。
【図面の簡単な説明】
【図１】本発明の第１の実施形態を示す正面図である。
【図２】本発明の第２の実施形態を示す正面図である。
【図３】本発明の第２の実施形態を示す断面図である。
【図４】本発明の第３の実施形態を示す正面図である。
【図５】本発明の第３の実施形態に使用する連続式カードを示す正面図である。
【図６】本発明の第３の実施形態の使用状態を示す正面図である。
【図７】従来例を示す正面図である。
【図８】従来例の使用状態を示す正面図である。
【符号の説明】
１　カードホルダー単位部材
２　ホルダー本体
３　蝶番部
４　カバー
５　カード挿し込み口
【図１】
2004045714.tif 000003
【図２】
2004045714.tif 000004
【図３】
2004045714.tif 000005
【図４】
2004045714.tif 000006
【図５】
2004045714.tif 000007
【図６】
2004045714.tif 000008
【図７】
2004045714.tif 000009
【図８】
2004045714.tif 000010